(57)【要約】【課題】口紅を固定する皿部材の間の口紅を直接唇に塗って、全部の口紅を使い切ることができるようにする。【解決の手段】皿部材を皿部の皿部材皿部Ａと筒部の皿部材筒部Ｂに分け、色々な方法で皿部材皿部Ａと皿部材筒部Ｂを固定し、支持筒Ｅとハカマ部Ｆの回転運動の力よりネジ棒Ｃと皿部材皿部Ａと皿部材筒部Ｂが上昇移動し、口紅Ｈが上昇移動する、筒部材Ｄの上端の部材を内側に曲げ、皿部材筒部Ｂの上昇移動は筒部材Ｄの上端の内側に曲げた部材で止められ、口紅Ｈの上昇移動が停止し、その上昇移動することに必要な回転運動の力の５倍から１００倍の力を支持筒Ｅとハカマ部Ｆの回転運動の力に加えることにより、皿部材皿部Ａと皿部材筒部Ｂの固定が解除され、皿部材筒部Ｂに固定されていた皿部材皿部Ａと口紅Ｈが皿部材筒部Ｂに対して上昇移動を始め、皿部材筒部Ｂの上端と筒部材Ｄの上端より口紅Ｈが全て出るようにする、以上のことを特徴とする口紅等が全て使い切る事ができる口紅等の収納容器。【選択図】    図１
2004160117.tif 000002
【特許請求の範囲】
【請求項１】
口紅Ｈを固定する皿部材を皿部の皿部材皿部Ａと筒部の皿部材筒部Ｂに分け、皿部材皿部Ａと口紅Ｈを二段階に分けて上昇できるようにするには、皿部材皿部Ａと皿部材筒部Ｂは摩擦力で固定する固定方法、又は皿部材皿部Ａと皿部材筒部Ｂの片方の接続面に穴や溝を取り付け、もう一方の接続面にその穴や溝に合うスプリングを取り付けて固定する固定方法、又は前記固定方法の両方を使って固定する固定方法、又は皿部材皿部Ａの筒面に雄ネジを掘り、皿部材筒部Ｂの筒面内側に雌ネジを掘り、皿部材皿部Ａと皿部材筒部Ｂの雄ネジと雌ネジを固定する固定方法、等色々な方法で皿部材皿部Ａと皿部材筒部Ｂを固定し、支持筒Ｅとハカマ部Ｆの回転運動の力よりネジ棒Ｃと皿部材皿部Ａと皿部材筒部Ｂが上昇移動し、口紅Ｈが上昇移動する、筒部材Ｄの上端の部材を内側に曲げ、皿部材筒部Ｂの上下移動は筒部材Ｄの上端の内側に曲げた部材で止められ、よって皿部材筒部Ｂの上昇の最上点は皿部材筒部Ｂが筒部材Ｄの上端の内側に曲げた部材と接した場所となり、その場所が皿部材筒部Ｂに固定した皿部材皿部Ａと口紅Ｈの一段目の最上点となり、二段目の最上点は、皿部材皿部Ａと口紅Ｈが更に上昇するには固定していた皿部材皿部Ａと皿部材筒部Ｂの固定を解除し、皿部材皿部Ａと口紅Ｈの両方が皿部材筒部Ｂに対して上昇することが必要であるので、支持筒Ｅとハカマ部Ｆの回転運動の力よりネジ棒Ｃと皿部材皿部Ａと皿部材筒部Ｂが上昇移動することに必要な回転運動の力の５倍から１００倍の力を支持筒Ｅとハカマ部Ｆの回転運動の力に加えることにより、皿部材皿部Ａと皿部材筒部Ｂの固定を解除して皿部材皿部Ａと口紅Ｈが上昇し、皿部材皿部Ａと口紅Ｈの上昇が皿部材皿部Ａに取り付けたネジ棒ＣのストッパーＪと支持筒Ｅの接触によって止められた点が皿部材皿部Ａと口紅Ｈの二段目の最上点となり、その場所で全ての口紅Ｈが皿部材筒部Ｂの上端と筒部材Ｄの上端より外にでるようにする、以上のことを特徴とする口紅等が全て使い切る事ができる口紅等の収納容器。
【請求項２】
口紅Ｈを固定する皿部材を皿部の皿部材皿部Ａと筒部の皿部材筒部Ｂに分け、皿部材筒部Ｂに対して皿部材皿部Ａが上下移動することできる、以上のことを特徴とする口紅等が全て使い切る事ができる口紅等の収納容器。
【発明の詳細な説明】
【０００１】
【発明の属する技術分野】
口紅等が全て使い切る事ができる口紅等の収納容器の技術。
【０００２】
【従来の技術】
口紅を固定する皿部材の間の口紅を直接唇に塗って全部の口紅を使い切るのは不可能であり、口紅を固定する皿部材の間の口紅を全部使い切るには刷毛等を使用してその部分の口紅を取り出すことが必要である。
【０００３】
【発明が解決しようとする課題】
口紅を固定する皿部材の間の口紅を直接唇に塗って、全部の口紅を使い切ることができるようにする。
【０００４】
【課題を解決するための手段】
皿部材を皿部の皿部材皿部Ａと筒部の皿部材筒部Ｂに分け、色々な方法で皿部材皿部Ａと皿部材筒部Ｂを固定し、支持筒Ｅとハカマ部Ｆの回転運動の力よりネジ棒Ｃと皿部材皿部Ａと皿部材筒部Ｂが上昇移動し、口紅Ｈが上昇移動する、筒部材Ｄの上端の部材を内側に曲げ、皿部材筒部Ｂの上昇移動は筒部材Ｄの上端の内側に曲げた部材で止められ、口紅Ｈの上昇移動が停止し、その上昇移動することに必要な回転運動の力の５倍から１００倍の力を支持筒Ｅとハカマ部Ｆの回転運動の力に加えることにより、皿部材皿部Ａと皿部材筒部Ｂの固定が解除され、皿部材筒部Ｂに固定されていた皿部材皿部Ａと口紅Ｈが皿部材筒部Ｂに対して上昇移動を始め、皿部材筒部Ｂの上端と筒部材Ｄの上端より口紅Ｈが全て出るようにする、以上のことを特徴とする口紅等が全て使い切る事ができる口紅等の収納容器。
【０００５】
【発明の実施の形態】
口紅Ｈ側を上としハカマ部Ｆ側を下として、口紅Ｈを固定する皿部材を皿部の皿部材皿部Ａと筒部の皿部材筒部Ｂに分け、皿部材皿部Ａと口紅Ｈを二段階に分けて上昇できるようにするには、皿部材皿部Ａと皿部材筒部Ｂは摩擦力で固定する固定方法、又は皿部材皿部Ａと皿部材筒部Ｂの片方の接続面に穴や溝を取り付け、もう一方の接続面にその穴や溝に合うスプリングを取り付けて固定する固定方法、又は前記固定方法の両方を使って固定する固定方法、又は皿部材皿部Ａの筒面に雄ネジを掘り、皿部材筒部Ｂの筒面内側に雌ネジを掘り、皿部材皿部Ａと皿部材筒部Ｂの雄ネジと雌ネジを固定する固定方法、等色々な方法で皿部材皿部Ａと皿部材筒部Ｂを固定し、支持筒Ｅとハカマ部Ｆの回転運動の力よりネジ棒Ｃと皿部材皿部Ａと皿部材筒部Ｂが上昇移動し、口紅Ｈが上昇移動する、筒部材Ｄの上端の部材を内側に曲げ、皿部材筒部Ｂの上下移動は筒部材Ｄの上端の内側に曲げた部材で止められ、よって皿部材筒部Ｂの上昇の最上点は皿部材筒部Ｂが筒部材Ｄの上端の内側に曲げた部材と接した場所となり、その場所が皿部材筒部Ｂに固定した皿部材皿部Ａと口紅Ｈの一段目の最上点となり、二段目の最上点は、皿部材皿部Ａと口紅Ｈが更に上昇するには固定していた皿部材皿部Ａと皿部材筒部Ｂの固定を解除し、皿部材皿部Ａと口紅Ｈの両方が皿部材筒部Ｂに対して上昇することが必要であるので、皿部材皿部Ａと皿部材筒部Ｂの固定を解除して皿部材皿部Ａと口紅Ｈが上昇し、皿部材皿部Ａと口紅Ｈの上昇が皿部材皿部Ａに取り付けたネジ棒ＣのストッパーＪと支持筒Ｅの接触によって止められた点が皿部材皿部Ａと口紅Ｈの二段目の最上点となり、その場所で全ての口紅Ｈが皿部材筒部Ｂの上端と筒部材Ｄの上端より外にでるようにする、以上のことを特徴とする口紅等が全て使い切る事ができる口紅等の収納容器。
【０００６】
口紅Ｈを固定する皿部材を皿部の皿部材皿部Ａと筒部の皿部材筒部Ｂに分け、色々な方法で皿部材皿部Ａと皿部材筒部Ｂを固定し、支持筒Ｅとハカマ部Ｆの回転運動の力よりネジ棒Ｃと皿部材皿部Ａと皿部材筒部Ｂが上昇移動し、皿部材皿部Ａと皿部材筒部Ｂの上昇移動によって口紅Ｈが上昇移動し、筒部材Ｄの上端の部材を内側に曲げ、皿部材筒部Ｂの上昇移動は筒部材Ｄの上端の内側に曲げた部材で止められ、口紅Ｈの上昇移動が停止し、支持筒Ｅとハカマ部Ｆの回転運動の力よりネジ棒Ｃと皿部材皿部Ａと皿部材筒部Ｂが上昇移動することに必要な回転運動の力の５倍から１００倍の力を支持筒Ｅとハカマ部Ｆの回転運動の力に加えることにより、皿部材皿部Ａと皿部材筒部Ｂの固定が解除され、皿部材筒部Ｂに固定されていた皿部材皿部Ａと口紅Ｈが皿部材筒部Ｂに対して上昇移動を始め、皿部材筒部Ｂに対して皿部材皿部Ａと口紅Ｈが上昇移動することで、皿部材筒部Ｂの上端と筒部材Ｄの上端より口紅Ｈが全て出るようにする、以上のことを特徴とする口紅等が全て使い切る事ができる口紅等の収納容器。
【０００７】
【実施例】
図１のように、口紅Ｈを固定する皿部材を皿部の皿部材皿部Ａと筒部の皿部材筒部Ｂに分け、皿部材皿部Ａと皿部材筒部Ｂは摩擦力で固定し、支持筒Ｅとハカマ部Ｆの回転運動の力よりネジ棒Ｃと皿部材皿部Ａと皿部材筒部Ｂが上昇移動し、皿部材皿部Ａと皿部材筒部Ｂの上昇移動により口紅Ｈが上昇移動し、筒部材Ｄの上端の部材を内側に曲げ、皿部材筒部Ｂの上昇移動は筒部材Ｄの上端の内側に曲げた部材で止められるが、その上昇移動することに必要な回転運動の力の２０倍の力を支持筒Ｅとハカマ部Ｆの回転運動の力に加えることにより、皿部材皿部Ａと皿部材筒部Ｂの固定が解除され、皿部材筒部Ｂに固定されていた皿部材皿部Ａと口紅Ｈが皿部材筒部Ｂに対して上昇移動を始め、皿部材筒部Ｂに対して皿部材皿部Ａと口紅Ｈが上昇移動することで、皿部材筒部Ｂの上端と筒部材Ｄの上端より口紅Ｈが全て出るようになる。
【０００８】
【発明の効果】
口紅を固定する皿部材皿部と皿部材筒部の間の口紅を直接唇に塗ることができ、全部の口紅を使い切ることができる。
【図面の簡単な説明】
【図１−１断面図】皿部材皿部Ａと口紅Ｈの一段目の最上点の図。口紅Ｈを固定する皿部材を皿部の皿部材皿部Ａと筒部の皿部材筒部Ｂに分け、皿部材皿部Ａと皿部材筒部Ｂを固定し、支持筒Ｅ等の回転運動により皿部材皿部Ａと皿部材筒部Ｂが上昇し、皿部材筒部Ｂの上昇移動が筒部材Ｄの上端の内側に曲げた部材で止められた図。
【図１−２断面図】皿部材皿部Ａと口紅Ｈの二段目の最上点の図。皿部材筒部Ｂの上昇移動が筒部材Ｄの上端の内側に曲げた部材で止められ、皿部材皿部Ａと皿部材筒部Ｂの固定が解除され、皿部材筒部Ｂに対して皿部材皿部Ａと口紅Ｈが上昇移動し、皿部材筒部Ｂの上端と筒部材Ｄの上端より口紅Ｈが全て出るようになった図。
【符号の説明】
Ａ：皿部材皿部、Ｂ：皿部材筒部、Ｃ：ネジ棒、Ｄ：筒部材、Ｅ：支持筒、Ｆ：ハカマ部材、Ｇ：ネジ部、Ｈ：口紅、Ｊ：ネジ棒Ｃのストッパー
【図１】
2004160117.tif 000003
【手続補正書】
【提出日】平成15年1月23日(2003.1.23)
【手続補正１】
【補正対象書類名】明細書
【補正対象項目名】図面の簡単な説明
【補正方法】変更
【補正の内容】
【図面の簡単な説明】
【図１】皿部材皿部Ａと口紅Ｈの一段目の最上点の図。口紅Ｈを固定する皿部材を皿部の皿部材皿部Ａと筒部の皿部材筒部Ｂに分け、皿部材皿部Ａと皿部材筒部Ｂを固定し、支持筒Ｅ等の回転運動により皿部材皿部Ａと皿部材筒部Ｂが上昇し、皿部材筒部Ｂの上昇移動が筒部材Ｄの上端の内側に曲げた部材で止められた図。
【図２】皿部材皿部Ａと口紅Ｈの二段目の最上点の図。皿部材筒部Ｂの上昇移動が筒部材Ｄの上端の内側に曲げた部材で止められ、皿部材皿部Ａと皿部材筒部Ｂの固定が解除され、皿部材筒部Ｂに対して皿部材皿部Ａと口紅Ｈが上昇移動し、皿部材筒部Ｂの上端と筒部材Ｄの上端より口紅Ｈが全て出るようになった図。
【符号の説明】
Ａ：皿部材皿部、Ｂ：皿部材筒部、Ｃ：ネジ棒、Ｄ：筒部材、Ｅ：支持筒、Ｆ：ハカマ部材、Ｇ：ネジ部、Ｈ：口紅、Ｊ：ネジ棒Ｃのストッパー


【手続補正２】
【補正対象書類名】図面
【補正対象項目名】全図
【補正方法】変更
【補正の内容】
【図１】
2004160117.tif 000004
【図２】
2004160117.tif 000005
【手続補正書】
【提出日】平成15年5月6日(2003.5.6)
【手続補正１】
【補正対象書類名】明細書
【補正対象項目名】特許請求の範囲
【補正方法】変更
【補正の内容】
【特許請求の範囲】
【請求項１】
口紅Ｈを固定する皿部材を皿部の皿部材皿部Ａと筒部の皿部材筒部Ｂに分け、皿部材皿部Ａと口紅Ｈを二段階に分けて上昇できるようにするには、皿部材皿部Ａと皿部材筒部Ｂは摩擦力で固定する固定方法、又は皿部材皿部Ａと皿部材筒部Ｂの片方の接続面に穴や溝を取り付け、もう一方の接続面にその穴や溝に合うスプリングを取り付けて固定する固定方法、又は前記固定方法の両方を使って固定する固定方法、等色々な方法で皿部材皿部Ａと皿部材筒部Ｂを固定し、支持筒Ｅとハカマ部Ｆの回転運動の力よりネジ棒Ｃと皿部材皿部Ａと皿部材筒部Ｂが上昇移動し、口紅Ｈが上昇移動する、筒部材Ｄの上端の部材を内側に曲げ、皿部材筒部Ｂの上下移動は筒部材Ｄの上端の内側に曲げた部材で止められ、よって皿部材筒部Ｂの上昇の最上点は皿部材筒部Ｂが筒部材Ｄの上端の内側に曲げた部材と接した場所となり、その場所が皿部材筒部Ｂに固定した皿部材皿部Ａと口紅Ｈの一段目の最上点となり、二段目の最上点は、皿部材皿部Ａと口紅Ｈが更に上昇するには固定していた皿部材皿部Ａと皿部材筒部Ｂの固定を解除し、皿部材皿部Ａと口紅Ｈの両方が皿部材筒部Ｂに対して上昇することが必要であるので、支持筒Ｅとハカマ部Ｆの回転運動の力よりネジ棒Ｃと皿部材皿部Ａと皿部材筒部Ｂが上昇移動することに必要な回転運動の力の５倍から１００倍の力を支持筒Ｅとハカマ部Ｆの回転運動の力に加えることにより、皿部材皿部Ａと皿部材筒部Ｂの固定を解除して皿部材皿部Ａと口紅Ｈが上昇し、皿部材皿部Ａと口紅Ｈの上昇が皿部材皿部Ａに取り付けたネジ棒ＣのストッパーＪと支持筒Ｅの接触によって止められた点が皿部材皿部Ａと口紅Ｈの二段目の最上点となり、その場所で全ての口紅Ｈが皿部材筒部Ｂの上端と筒部材Ｄの上端より外にでるようにする、以上のことを特徴とする口紅等が全て使い切る事ができる口紅等の収納容器。